(57)【要約】      （修正有）【課題】麺線束であっても重心を中心に配して容易に自立させ、スペース効率良く展示・販売することができ、しかも様々な形状のパスタの全体を保護することができ、商品窓の形状や配置の自由度を高め、外的美観に秀れ、より付加価値を高めることができる新たな包装技術を提供する。【解決手段】表外装部４、および、同表外装部４の一側に鉛直折曲線部Ｂを介して一体となる背外装部５からなり、各表・背外装部４，５が、水平接地辺４０，５０を有し、天縁４２，５２を含む側周縁４１，５１に沿って外周糊代部７を設けると共に、適所に商品確認用窓Ｗを開口した外殻包装体３を有し、該外殻包装体３の鉛直折曲線部Ｂを折り、各外周糊代部７同士を重ね合わせ貼着し、各水平接地辺４０，５０間に開いた開底部には、底面部９０および一対の糊代帯９２を一体化した底面台紙９の、各糊代帯９２を貼着してなる自立型包装袋である。【選択図】図６
0003189306.tif 000002
【実用新案登録請求の範囲】
【請求項１】
包装対象商品の表面および表面寄り天面１／２範囲を充分に包囲可能な表外装部、および同表外装部の一側に鉛直折曲線部を介して一体となり、該包装対象商品の背面および背面寄り天面１／２を充分に包囲可能な背外装部からなり、各表・背外装部が、水平接地辺を有し、天縁を含む側周縁に沿って外周糊代部を設けると共に、表外装部および背外装部の少なくとも何れか一方の適所に適宜大きさの適所に商品確認用窓を開口した外殻包装体を有し、該外殻包装体の鉛直折曲線部を折り、表・背外装部各外周糊代部同士を重ね合わせ貼着し、上端先鋭、下端開脚のタワー形状とした上、同外殻包装体の表・背外装部各水平接地辺間に開いた開底部には、底面部および一対の糊代帯を一体化した底面台紙の、各糊代帯を貼着してなるものとしたことを特徴とする自立型包装袋。
【請求項２】
包装対象商品の外周囲および天面を充分に包囲可能な硬質シート製であって、該包装対象商品の表面および表面寄り天面１／２範囲を充分に包囲可能な表外装部、および、同表外装部の左右何れか一側に鉛直折曲線部を介して一体となり、該包装対象商品の背面および背面寄り天面１／２を充分に包囲可能な背外装部からなり、各表・背外装部が、該鉛直折曲線部下端に交叉する水平接地辺を有し、該鉛直折曲線部上端から、天縁を含む側周縁に沿い、該鉛直折曲線部下端とは反対がわとなる水平接地辺の各外端に至る範囲に所定巾の外周糊代部を設けると共に、表外装部および背外装部の少なくとも何れか一方の適所に適宜大きさの商品確認用窓を開口した外殻包装体を有し、該外殻包装体の鉛直折曲線部を折り、表・背外装部各外周糊代部同士を重ね合わせ貼着し、表・背外装部間に包装対象商品用の収容部を確保し、上端先鋭、下端開脚のタワー形状とした上、同外殻包装体の表・背外装部各水平接地辺間に開いた開底部には、鉛直折曲線部下端寄りと、外周糊代部下端寄りとの双方に、当該包装対象商品底面よりも充分に小さな間隙を確保する形状・寸法とした底面部、および、各水平接地辺に対峙する該底面部の表・背がわ両縁に沿って、表・背一対の糊代帯を一体化した硬質シート製底面台紙の、各糊代帯を、各水平接地辺内周壁に貼着してなるものとしたことを特徴とする自立型包装袋。
【請求項３】
包装対象商品の外周囲および天面を充分に包囲可能な硬質シート製であって、該包装対象商品の表面および表面寄り天面１／２範囲を充分に包囲可能な表外装部、および、同表外装部の左右何れか一側に鉛直折曲線部を介して一体となり、該包装対象商品の背面および背面寄り天面１／２を充分に包囲可能な背外装部からなり、各表・背外装部が、該鉛直折曲線部下端に交叉する水平接地辺を有し、該鉛直折曲線部上端から、天縁を含む側周縁に沿い、該鉛直折曲線部下端とは反対がわとなる水平接地辺の各外端に至る範囲に所定巾の外周糊代部を設けると共に、表外装部および背外装部の少なくとも何れか一方の適所に適宜大きさの商品確認用窓を開口した外殻包装体を有し、該外殻包装体の鉛直折曲線部を折り、表・背外装部各外周糊代部同士を重ね合わせ貼着し、表・背外装部間に包装対象商品用の収容部を確保し、上端先鋭、下端開脚のタワー形状とした上、同外殻包装体の表・背外装部各水平接地辺間に開いた開底部には、鉛直折曲線部下端寄りと、外周糊代部下端寄りとの双方に、当該包装対象商品底面よりも充分に小さな間隙を確保する形状・寸法とし、鉛直折曲線部下端と、外周糊代部下端とを結ぶ直線に沿って、水平谷折線部を設けた底面部、および、各水平接地辺に対峙する該底面部の表・背がわ両縁に沿って、表・背一対の糊代帯を夫々水平山折線部を介して一体化した硬質シート製底面台紙の、各糊代帯を各水平接地辺内周壁に沿って垂直姿勢に貼着し、各糊代帯の上端間に、中央谷折状とした底面部の表・背がわ両端を支持してなるものとしたことを特徴とする自立型包装袋。
【請求項４】
外周糊代部が、表・背外装部周縁との境界線に沿って脆弱線部および破線表示部の少なくとも何れか一方を有してなるものとした、請求項１ないし３何れか一記載の自立型包装袋。
【請求項５】
商品確認用窓が、その内側周縁間に透明フィルムを装着してなるものとした、請求項１ないし４何れか一記載の自立型包装袋。
【請求項６】
外殻包装体が、鉛直折曲線部上端から表・背外装部の鉛直折曲線部とは反対がわとなる側縁上部に及ぶ天縁、および、該天縁に対応する外周糊代部を、円弧縁状、傾斜縁状、台形縁状、または、多角縁状の何れか１つの形状とし、重心をより下寄りに設定してなるものとした、請求項１ないし５何れか一記載の自立型包装袋。
【請求項７】
収容部内に、透明軟質袋で包装した包装対象商品としてのパスタ商品を収容してなるものとした、請求項１ないし６何れか一記載の自立型包装袋を利用した包装食品。                                              
【考案の詳細な説明】
【技術分野】
【０００１】
この考案は、商品の包装技術に関連するものであり、特に、陳列棚などに自立するよう展示し、販売可能とする包装用品、およびそれを利用した包装商品を製造、提供する分野は勿論のこと、その製造、輸送、保管、組み立て、包装および展示、販売に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、さらには、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                        
【背景技術】
【０００２】
（着目点）
食品類を輸送・保管および展示・販売する際には、特に乾燥麺やスナック菓子などのように乾燥・硬化して脆くなっている商品などの場合、積み重ねによる折損や破損などによって品質が大幅に低下してしまう虞があるため、ある程度の衝撃や外部からの圧力などに耐える包装を必要とし、また、輸送・保管や展示・販売中に積み重ねるのは、包装食品の破損および品質の低下を招くばかりでなく、特に細長い麺線束などは、棚の占有率を高めてしまい輸送・保管効率や、販売コストの増大を招いてしまい経済的でないという欠点があった。
【０００３】
（従来の技術）
こうした状況を反映し、その打開策となるような提案もこれまでに散見されない訳ではない。
例えば、下記の特許文献１（１）に提案されているものに代表されるように、軟包装体の周囲を取り囲み、上下が開放した収容部を有する自立可能な容器本体を、１枚のシート材料からなり、容器本体一方面の下部から下部折り曲げ部を残すよう上側周囲を切り抜いてなる底板を容器本体内側へ向け、水平に折り曲げて同底板の先端に設けた突片を、対峙する容器本体他方面に設けた切開部に嵌合し、容器本体内に収めた軟包装体の底部を支持可能とするようにした軟包装体保管用容器や、同特許文献１（２）に見られるような、袋本体の表背面の左右縁を接続する左右壁に、内側に折り畳み可能な縦折線部を設けると共に、それら左右壁中央に透明窓を設け、表背面に充分な表示面積を確保し、内部商品を目視確認可能なものとしてなるガセット袋、同特許文献１（３）のように、樹脂フィルム製の包装袋に被包装物を充填包装し、該充填包装袋を収容する紙箱の側壁に窓孔を穿設し、被包装物の残量などを目視確認可能なものとした包装構造物、同特許文献１（４）に見られるもののように、外面の繊維構造物からなる紙層と内面のプラスチックフィルム層とを貼り合わせた積層体からなるパウチ包装体において、一部に紙層がないプラスチックフィルム層のみによる透明もしくは半透明な窓部を設け、内容物の目視による確認を可能とした紙パウチ包装体などがある。
【０００４】
さらに、同特許文献１（５）に見られるような、直角二等辺三角形状の対向する第１側壁および第２側壁を備え、直角を挟む２辺間に夫々壁面を設け、第１側壁の斜辺に折目を介して方形状の蓋片を設けると共に、該蓋片に透明合成樹脂フィルムで覆った窓孔を設け、収容したサンドイッチの断面を外部から目視確認可能なものとしたサンドイッチ包装用紙箱、同特許文献１（６）に有るような、長方形状底面壁の両長辺に表・背面壁を夫々設け、それら底面壁および表・背面壁を横転三角柱状の外観とするよう折り畳み、長方形状底面壁の両短辺に三角形の側面壁を夫々設け、表・背面壁の上部同士を合掌状に重ね合わせて結合し、表面壁下部に展示用窓を設けた自立形包装箱、同特許文献１（７）の、直方体形の天面開放および有底の袋本体からなり、長方形底シート部の一対の短辺より延伸する面積の狭い各側壁を、その中央縦線に沿って谷折可能とし、該長方形底シート部の長辺より延伸する面積の広い各表背壁の一方に窓孔部を開口し、内がわから窓用フィルムを貼着してなるものとした包装用袋なども見受けられる
【０００５】
そして、同特許文献１（８）に示されるように、前壁と背壁と、前壁または背壁の好ましくは下部に設けた折り込み片とから成り、折り込み片を折り込むと前壁と背壁との間が折り込み片の幅だけ筒のように広がって自立出来るようになると共に、この折り込み片の上方に菓子等の物品を収容する空間が形成されるようにし、折り込み部に開いた窓から物品を容易に納めることが出来、またこの窓を通して収容物品を外部から見えるようにした物品等の収容ケース、同特許文献１（９）に示すような、背面板の上端に前面板の上端を一体化し、前面板の下端には、挿入舌片をもった底面板を設け、該背面板の左右端には夫々直角三角形の側面板を設け、各側面板は、下端に夫々底面補強板、外側端には、互いに係合可能な切り込みを有するフラップを設けた上、当該前面板の中央寄り適所には窓を開口し、組み立てることによって上端先鋭状となり、自立可能とすることができる紙製包装容器、同特許文献１（１０）に見られるように、前・背面部、両側面部および底面部からなり、上部を開口した紙製箱体を有し、該箱体内に、麺線束の略下半分を差し込むよう複数束収納した上、該箱体および麺線束を、透明袋体内に密閉し、一纏めに自立可能としてなる麺類の包装容器などが散見される。
【０００６】
しかし、前者特許文献１（１）および１（８）に示されているような軟包装体保管用容器や物品等の収容ケースなどは、包装体正面壁から底板を切り出し、その開口をもって商品窓としているから、商品窓の形や面積が、自ずと底板の形状・寸法内に制限されてしまい、しかも商品窓が底部近くに開口することとなり、商品窓および商品名などの表示や印刷絵柄などの配置に制限を受けるものとなってしまうという欠点があり、特許文献１（２）および１（３）のガセット袋や包装構造などのように、対象商品の全体を封入可能とする包装袋は、ビスケット菓子やスナック菓子などの包装に適するものであるが、乾燥した細長い麺線などを束ねて包装するのには、適さない形状であると言わざるを得ない、特許文献１（４）のような紙パウチ包装体は、ジュースなど漏出を確実に防止しなければならない液体状の食品などレトルト食品類に適しているが、乾燥を維持し、破損を保護することで足りる乾燥麺類などの包装に利用するのは、あまり経済的ではないとう欠点を有している。
【０００７】
また、特許文献１（５），１（６）および１（９）の側面形状が直角三角形の箱型としたサンドイッチ包装用紙箱や紙製包装容器、および、横転三角柱の外殻形状とし、その上角縁に沿って合掌状の吊り下げよう舌片を設けた自立型包装箱などは、マカロニなどの粒状や短棒状などのパスタの包装が可能であるが、麺線束を垂直状に自立するよう包装した場合には、容器内で麺線束が傾き、傾斜壁面に対峙する垂直壁面がわに重心が偏ってしまい、安定的に自立させるのが難しく、麺線束を水平に横転させるよう包装した場合には、展示・販売のスペース効率を悪化させてしまうという欠点を生じる虞があり、特許文献１（７）の包装用袋のように、角底袋の底部近傍となる正面壁に窓孔を設けたものは、容易に自立形の包装を実現化できるが、乾燥パスタを外力から保護するには、袋全体に充分な厚さの紙を用いる必要があり、要所々々を厚紙製とする場合にも、箱の組立製造の工数が嵩んでしまうなど、高価なものとなってしまうことが懸念されるものであり、特許文献１（１０）の麺類の包装容器のような、上部が開口した内箱体に麺線束を収容するようにしたものは、確りとした底部を有して安定的に自立させることが可能であるが、麺線束の上端が全て内箱外に露出してしまうから、この露出部分に外力を受けた場合には、容易に麺線束に損傷を受けてしまう虞があり、輸送中の安全を考慮すると、底部だけでなく、上端も保護する必要性があった。                                                                                              
【特許文献１】（１）特開平１０−３１０１７２号公報    （２）特開２００１−１７１６８５号公報    （３）特開２００３−１２８１３７号公報    （４）特開２００４−１１５１１８号公報    （５）特開２００４−１９６３２３号公報    （６）特開２００６−２１９１８９号公報    （７）特開２０１２−２４５９９８号公報    （８）特開２０１３−４７１１５号公報    （９）実用新案登録第３０３１１０９号公報    （１０）実用新案登録第３０８８８３９号公報
【考案の概要】
【考案が解決しようとする課題】
【０００８】
（問題意識）
上述したとおり、従前までに提案のある各種包装容器類は、何れも自立させて展示・販売するのに適したものとなっているが、商品窓を加工した紙片部分を底板に利用するものの場合には、商品窓の配置や形状に制限を受けると共に、全面の商品名表示の配置などにも制限を生じるものとなってしまうという欠点があり、また、全体を箱壁で囲むようにしたものは、厚紙の使用量が増大してコストが嵩むものとなり、底部がわなどの一部を厚紙製の内箱で包装し、樹脂フィルム製の包装袋に収容したものは、内箱から露出する商品の一部が保護されないという欠点を残すものであり、本願出願人は、永年、様々な麺類の開発・製造および販売に携わってきた中で得られた情報や、多くの消費者のニーズに対応する過程で得た知見に基づき、マカロニのような粒状や短棒状のパスタは勿論のこと、麺線の束も自立させて展示・販売可能とし、商品窓の配置や商品名などの表示の自由度を高めて全体のデザイン性を高めるのが容易で、より効率的且つ安価に製造可能とするための新たな包装技術につき、更なる改善の可能性を痛感するに至ったものである。
【０００９】
（考案の目的）
そこで、この考案は、麺線束であっても重心を中心寄りに配して安定的に自立させてスペース効率良く展示・販売することができ、しかも様々な形状のパスタの全体を保護することができ、商品窓の形状や配置の自由度を高め、外的美観に秀れ、より付加価値を高めることができる新たな包装技術の開発はできないものかとの判断から、逸速くその開発、研究に着手し、長期に渡る試行錯誤と幾多の試作、実験とを繰り返してきた結果、今回、遂に新規な構造の自立型包装袋、およびそれを利用した新規な構造の包装食品を実現化することに成功したものであり、以下では、図面に示すこの考案を代表する実施例と共に、その構成を詳述することとする。                                                                                          
【課題を解決するための手段】
【００１０】
（考案の構成）
図面に示すこの考案を代表する実施例からも明確に理解されるように、この考案の自立型包装袋は、基本的に次のような構成から成り立っている。
即ち、包装対象商品の表面および表面寄り天面１／２範囲を充分に包囲可能な表外装部、および同表外装部の一側に鉛直折曲線部を介して一体となり、該包装対象商品の背面および背面寄り天面１／２を充分に包囲可能な背外装部からなり、各表・背外装部が、水平接地辺を有し、天縁を含む側周縁に沿って外周糊代部を設けると共に、表外装部および背外装部の少なくとも何れか一方の適所に適宜大きさの適所に商品確認用窓を開口した外殻包装体を有し、該外殻包装体の鉛直折曲線部を折り、表・背外装部各外周糊代部同士を重ね合わせ貼着し、上端先鋭、下端開脚のタワー形状とした上、同外殻包装体の表・背外装部各水平接地辺間に開いた開底部には、底面部および一対の糊代帯を一体化した底面台紙の、各糊代帯を貼着してなるものとした構成を要旨とする自立型包装袋ある。
【００１１】
この基本的な構成からなる自立型包装袋を、より具体的なものとして示すと、包装対象商品の外周囲および天面を充分に包囲可能な硬質シート製であって、該包装対象商品の表面および表面寄り天面１／２範囲を充分に包囲可能な表外装部、および、同表外装部の左右何れか一側に鉛直折曲線部を介して一体となり、該包装対象商品の背面および背面寄り天面１／２を充分に包囲可能な背外装部からなり、各表・背外装部が、該鉛直折曲線部下端に交叉する水平接地辺を有し、該鉛直折曲線部上端から、天縁を含む側周縁に沿い、該鉛直折曲線部下端とは反対がわとなる水平接地辺の各外端に至る範囲に所定巾の外周糊代部を設けると共に、表外装部および背外装部の少なくとも何れか一方の適所に適宜大きさの商品確認用窓を開口した外殻包装体を有し、該外殻包装体の鉛直折曲線部を折り、表・背外装部各外周糊代部同士を重ね合わせ貼着し、表・背外装部間に包装対象商品用の収容部を確保し、上端先鋭、下端開脚のタワー形状とした上、同外殻包装体の表・背外装部各水平接地辺間に開いた開底部には、鉛直折曲線部下端寄りと、外周糊代部下端寄りとの双方に、当該包装対象商品底面よりも充分に小さな間隙を確保する形状・寸法とした底面部、および、各水平接地辺に対峙する該底面部の表・背がわ両縁に沿って、表・背一対の糊代帯を一体化した硬質シート製底面台紙の、各糊代帯を各水平接地辺内周壁に貼着してなるものとした構成からなる自立型包装袋となる。
【００１２】
さらに具体的には、包装対象商品の外周囲および天面を充分に包囲可能な硬質シート製であって、該包装対象商品の表面および表面寄り天面１／２範囲を充分に包囲可能な表外装部、および、同表外装部の左右何れか一側に鉛直折曲線部を介して一体となり、該包装対象商品の背面および背面寄り天面１／２を充分に包囲可能な背外装部からなり、各表・背外装部が、該鉛直折曲線部下端に交叉する水平接地辺を有し、該鉛直折曲線部上端から、天縁を含む側周縁に沿い、該鉛直折曲線部下端とは反対がわとなる水平接地辺の各外端に至る範囲に所定巾の外周糊代部を設けると共に、表外装部および背外装部の少なくとも何れか一方の適所に適宜大きさの商品確認用窓を開口した外殻包装体を有し、該外殻包装体の鉛直折曲線部を折り、表・背外装部各外周糊代部同士を重ね合わせ貼着し、表・背外装部間に包装対象商品用の収容部を確保し、上端先鋭、下端開脚のタワー形状とした上、同外殻包装体の表・背外装部各水平接地辺間に開いた開底部には、鉛直折曲線部下端寄りと、外周糊代部下端寄りとの双方に、当該包装対象商品底面よりも充分に小さな間隙を確保する形状・寸法とし、鉛直折曲線部下端と、外周糊代部下端とを結ぶ直線に沿って、水平谷折線部を設けた底面部、および、各水平接地辺に対峙する該底面部の表・背がわ両縁に沿って、表・背一対の糊代帯を夫々水平山折線部を介して一体化した硬質シート製底面台紙の、各糊代帯を各水平接地辺内周壁に沿って垂直姿勢に貼着し、各糊代帯の上端間に、中央谷折状とした底面部の表・背がわ両端を支持してなるものとした構成からなる自立型包装袋となる。
【００１３】
（関連する考案）
上記した自立型包装袋に関連し、この考案には、その自立型包装袋を利用した包装食品も包含している。
即ち、収容部内に、透明軟質袋で包装した包装対象商品としてのパスタ商品を収容してなるものとした、この考案の基本をなす前記自立型包装袋を利用した包装食品である。                                        
【考案の効果】
【００１４】
以上のとおり、この考案の自立型包装袋によれば、従前までのものとは違い、上記したとおりの固有の特徴ある構成から、乾燥パスタ麺線束などのように細長い商品であっても重心を下寄りに配した上端先鋭、下端開脚のタワー形状として容易に自立させることができ、スペース効率良く展示・販売可能なものとし、麺線束以外のマカロニなどのような粒状や短棒状などの様々な形状の商品の全体を保護することができ、しかも商品確認用窓の形状や配置の自由度を高め、外的美観に秀れ、格段に付加価値を高めることができるという秀れた特徴が得られるものである。
【００１５】
加えて、自立型包装袋の開底部に設けた底面台紙は、その底面部に、鉛直折曲線部下端と、外周糊代部下端とを結ぶ直線に沿う水平谷折線部を設け、該底面部の各水平接地辺に対峙する表・背がわ両縁に沿って水平山折線部を介し、表・背一対の糊代帯を夫々一体化した上、該底面台紙の、各糊代帯を各水平接地辺内周壁に沿って垂直姿勢に貼着し、各糊代帯の上端間に、中央谷折状とした底面部の表・背がわ両端を支持してなるものとすることにより、各糊代帯が各水平接地辺を内がわから補強して接地部分を強化するものとなり、さらに、底面台紙底面部の水平谷折線部が、自立型包装袋の表・背外装部間の中央に配するものとなり、重力を受けた包装対象商品の下端を表・背間中央に自動的に誘導する一方、外殻包装体の上端を表・背対称先鋭形とするよう合掌状に貼り合わせたものとしたから、包装対象商品の上端をも中央に自動的に誘導するものとなり、自立姿勢における重心を、表・背間中心に固定して一段と安定した展示および陳列を実現化することができる。
【００１６】
さらに、外周糊代部が、表・背外装部周縁との境界線に沿って脆弱線部および破線表示部の少なくとも何れか一方を有してなるものとすることにより、脆弱線部を境に外周糊代部を切除するようにし、表・背外装部の中央寄りの範囲を不要に破損させることなく、外殻包装体を容易に開封し、収容部内から包装対象商品を傷付けることなく安全に取り出すことが可能であり、しかも破線表示部を表示して外周糊代部を切除して開封することを明確に示すものとすると、誰でもより平易に、迷わず開封することができるという利点が得られる。
【００１７】
また、商品確認用窓の内側周縁間に透明フィルムを装着してなるもとすることにより、収容部に収容した包装対象商品を外力から保護し、汚損を防止すると共に、包装対象商品の品質を目視確認可能とすることができるという効果を得ることができ、さらにまた、外殻包装体が、鉛直折曲線部上端から表・背外装部の鉛直折曲線部とは反対がわとなる側縁上部に及ぶ天縁、および、該天縁に対応する外周糊代部を、円弧縁状、傾斜縁状、台形縁状、または、多角縁状の何れか１つの形状としてなるものは、外殻包装体の上端がわに特徴的な形状による装飾を付与することができる上、上端の重量を軽減し、より低重心化を達成し、一層安定した自立展示および陳列を可能とするものになる。
【００１８】
そして、この発明の自立型包装袋を利用した包装食品によれば、透明軟質袋で包装したパスタ商品である包装対象商品を収容部内に収容するよう包装したものとすることにより、粒状や短棒状、短管状などの様々な形状の複数個の乾燥マカロニのように、透明軟質袋に充填した場合に、据え置き形状を維持するのが難しかったり、細長い乾燥麺線束のように通常は硬質の容器に収容したりしないかぎり自立させることが難しかったりする、多様な形状のパスタ商品類を、格段に安定的に自立するよう展示および陳列することができるようになり、しかも乾燥パスタを輸送中の外力から効果的に保護して汚損を防止できるという秀れた効果を発揮するものとなる。                                                                                
【考案を実施するための最良の形態】
【００１９】
上記したとおりの構成からなるこの考案の実施に際し、その最良もしくは望ましい形態について説明を加えることにする。
包装対象商品は、被包装物であって、この発明の自立型包装袋によって包装する対象物品であるということができ、例えば生活雑貨や家電用部品、食品など店頭に展示・陳列して販売可能な商品であり、より具体的には、この発明に含む包装食品の包装対象商品と云うことが可能であり、さらに具体的には、乾燥麺類または生麺類とすることが可能であって、うどん、そば、パスタ、ラーメン、素麺、冷や麦、春雨、ビーフン、葛切りなどとすることができ、後述する実施例に示すように、マカロニや麺線束などとすることができ、さらに、透明軟質袋に収容したものとすることができる。
【００２０】
外殻包装体は、包装対象商品を包装して外力から保護すると共に、自立して展示・陳列可能とし、上端先鋭、下端開脚のタワー形状として外的美観を呈するものとなり、印刷やシールなどによる各種表示や商品名表示を可能とする上、適所に商品確認用窓を有して収容した包装対象商品を目視確認可能とする機能を担い、包装対象商品を外がわから包囲して外力から保護すると共に、自立可能とするに充分な強度を有する硬質シート状のものからなるものとしなければならず、後述する実施例に示すように、包装対象商品の外周囲および天面を充分に包囲可能な硬質シート製であって、該包装対象商品の表面および表面寄り天面１／２範囲を充分に包囲可能な表外装部、および、同表外装部の左右何れか一側に鉛直折曲線部を介して一体となり、該包装対象商品の背面および背面寄り天面１／２を充分に包囲可能な背外装部からなり、各表・背外装部が、該鉛直折曲線部下端に交叉する水平接地辺を有し、該鉛直折曲線部上端から、天縁を含む側周縁に沿い、該鉛直折曲線部下端とは反対がわとなる水平接地辺の各外端に至る範囲に所定巾の外周糊代部を設けると共に、表外装部および背外装部の少なくとも何れか一方の適所に適宜大きさの商品確認用窓を開口したものとすべきである。
【００２１】
硬質シートは、外殻包装体や底面台紙のそれら自体を造る素材ということができ、外殻包装体や底面台紙の素材として充分な強度と耐久性とを有するものとしなければならず、印刷や加工および組立が容易な合成樹脂や金属箔のシート、厚紙、またはそれらの積層シートなどとするのが良く、包装対象商品の包装に適した素材を適宜選択することができる。
【００２２】
表外装部は、外殻包装体の正面壁、換言すると前面壁となるものということができ、左右何れか一側に鉛直折曲線部を介して背外装部を一体化し、該鉛直折曲線部上端から、天縁を含む側周縁に沿い、該鉛直折曲線部下端とは反対がわとなる水平接地辺の各外端に至る範囲に所定巾の外周糊代部を設けると共に、表外装部および背外装部の少なくとも何れか一方の適所に適宜大きさの商品確認用窓を開口したものとしなければならず、後述する実施例に示すように、商品確認用窓が、その内側周縁間に透明フィルムを装着してなるものとするのが望ましく、透明フィルムは、有色、無色、透明、半透明、紫外線透過防止、赤外線透過防止、断熱、放熱など様々な光学的機能や熱的機能などを付与したものとすることができる。
【００２３】
背外装部は、外殻包装体の後面壁、換言すると背面壁となるものということができ、表外装部の左右何れか一側に鉛直折曲線部を介して一体化し、該鉛直折曲線部上端から、天縁を含む側周縁に沿い、該鉛直折曲線部下端とは反対がわとなる水平接地辺の各外端に至る範囲に所定巾の外周糊代部を設けたものとしなければならず、必要な場合には適所に適宜大きさの商品確認用窓を開口したものとすることが可能であり、後述する実施例に示すように、表外装部と左右対称の形状とすべきものであるが、表外装部と異なる形状のものとすることが可能である。
【００２４】
鉛直折曲線部は、外殻包装体各表・背外装部の互いの外周糊代部を重ね合わせ状に貼着可能とするよう所望の位置で折り曲げ可能とする機能を担い、硬質シートの対応する位置に折癖を付けたものとすることができる外、応力集中用の薄肉線状部や脆弱線状部などを設けたものとすることができる外、天縁付近の外周糊代部に対応する範囲のみに設け、それよりも下方範囲に折れ線を入れず、緩やかに湾曲させるよう組立可能なものとすることが可能である。
【００２５】
表・背外装部の水平接地辺は、表・背外装部相互の外周糊代部を重ね合わせ状に貼着して組み立てた状態では、環状の開底部をなして外殻包装体を自立可能なものとする機能を担い、底面台紙の各糊代帯を貼着可能とするよう、少なくとも各水平接地辺付近の内周壁を平滑面状のものとしなければならない。
【００２６】
外周糊代部は、外殻包装体の鉛直折曲線部上端から、各表・背外装部の天縁を含む各側周縁に沿い、該鉛直折曲線部下端とは反対がわとなる水平接地辺の各外端に至る範囲に所定巾の糊代を確保可能とする機能を担い、表・背外装部周縁との境界線に沿って脆弱線部および破線表示部の少なくとも何れか一方を有してなるものとすることができ、接着剤や熱熔着などの外、脆弱線部の内がわに沿って開閉可能なチャックを設けたものとすることが可能であり、その外縁形状を円弧縁状、傾斜縁状、台形縁状、または、多角縁状の何れか１つの形状とし、上端先鋭化をさらに進展させて外殻包装体の重心をより下寄りに設定してなるものとすることができ、後述する実施例に示すように、脆弱線部をミシン孔線部および薄肉線部の少なくとも何れか一方とすることが可能である。
【００２７】
底面台紙は、外殻包装体の開底部（各水平接地辺間）に、同外殻包装体の収容部に納めた包装対象商品の底面を支持し、封止可能とする機能を担い、より具体的には、収容部に納めた包装対象商品の底面を緩衝可能に支持し、表・背外装部間の中央付近に封止可能とする機能を担うものであるということができ、外殻包装体開底部の鉛直折曲線部下端寄りと、外周糊代部下端寄りとの双方に、当該包装対象商品底面よりも充分に小さな間隙を確保する形状・寸法とした底面部、および、各水平接地辺に対峙する該底面部の表・背がわ両縁に沿って、表・背一対の糊代帯を一体化した硬質シート製のものとしなければならず、後述する実施例に示すように、外殻包装体開底部の鉛直折曲線部下端と、外周糊代部下端とを結ぶ直線に沿って、水平谷折線部を設けた底面部、および、各水平接地辺に対峙する該底面部の表・背がわ両縁に沿って、表・背一対の糊代帯を夫々水平山折線部を介して一体化した硬質シート製のものとするのが望ましく、底面台紙の、各糊代帯を各水平接地辺内周壁に沿って垂直姿勢に貼着し、各糊代帯の上端間に、中央谷折状とした底面部の表・背がわ両端を支持するようにしてなるものとすることができる。
【００２８】
収容部は、外殻包装体および底面台紙によって包装対象商品を収容可能とする機能を担い、外殻包装体を過不足無く収容可能な空間を確保したものとしなければならないが、外殻包装体および底面台紙の外殻形状に応じて多少の余剰空間を確保したものとすることができる。
以下では、図面に示すこの考案を代表する実施例と共に、その構造について詳述することとする。                                                                                                            
【図面の簡単な説明】
【００２９】
図面は、この考案の自立型包装袋、およびそれを利用した包装食品の技術的思想を具現化した代表的な一実施例を示すものである。
【図１】自立型包装袋、およびそれを利用した包装食品を示す斜視図である。
【図２】包装食品および包装対象商品を示す斜視図である。
【図３】包装食品の底面台紙を示す斜視図である。
【図４】外殻包装体の内側面を示す展開図である。
【図５】底面台紙を示す平面図である。
【図６】包装食品を示す分解図である。
【図７】自立型包装袋を示す正面図である。
【図８】自立型包装袋を示す下面図である。
【図９】自立型包装袋を縦割りして示す断面図である。
【図１０】麺線束の包装食品を示す分解図である。
【図１１】麺線束の包装食品を示す正面図である。
【図１２】麺線束用の自立型包装袋を縦割りして示す断面図である。
【図１３】麺線束用の自立型包装袋を示す下面図である。
【実施例１】
【００３０】
図１ないし図９に示す事例は、該包装対象商品Ｃの表面を包囲可能な表外装部４、および、同表外装部４の一側に鉛直折曲線部Ｂを介して一体となり、該包装対象商品Ｃの背面を包囲可能な背外装部５からなり、各表・背外装部４，５が、水平接地辺４０，５０を有し、天縁４２，５２を含む側周縁４１，５１に沿って外周糊代部７，７を設けると共に、適所に商品確認用窓Ｗを開口した外殻包装体３を有し、該外殻包装体３の鉛直折曲線部Ｂを折り、各外周糊代部７，７同士を重ね合わせ貼着し、各水平接地辺４０，５０間に開いた開底部６には、底面部９０および一対の糊代帯９２，９２を一体化した底面台紙９の、各糊代帯９２，９２を貼着してなるものとした、この考案の自立型包装袋における代表的な一実施例を示すものである。
【００３１】
それら各図からも明確に把握できるとおり、この考案の自立型包装袋２は、その外殻包装体３が、例えば乾燥マカロニの１２０ｇを透明軟質袋Ｐに充填・密閉した包装対象商品Ｃの外周囲および天面を充分に包囲可能な形状・寸法の厚紙製であって、該包装対象商品Ｃの表面および表面寄り天面１／２範囲を充分に包囲可能な表外装部４、および、同表外装部４の左右何れか一側に鉛直折曲線部Ｂを介して一体となり、該包装対象商品Ｃの背面および背面寄り天面１／２を充分に包囲可能な背外装部５からなり、各表・背外装部４，５が、該鉛直折曲線部Ｂ下端に交叉する水平接地辺４０，５０を有し、該鉛直折曲線部Ｂ上端から、天縁４２，５２を含む側周縁４１，５１に沿い、該鉛直折曲線部Ｂ下端とは反対がわとなる水平接地辺４０，５０の各外端に至る範囲に所定巾の外周糊代部７，７を設け、各外周糊代部７，７の表・背外装部周縁４，５との境界線に沿ってミシン孔７０からなる脆弱線部７０および破線表示部７１を有するものとした上、表外装部４の上端寄りとなる適所に適宜大きさおよび形状とした商品確認用窓Ｗを開口したものである。
【００３２】
図４に示すように、該外殻包装体３は、鉛直折曲線部Ｂ上端から表・背外装部４，５の鉛直折曲線部Ｂとは反対がわとなる側縁上部に及ぶ天縁４２，５２、および、各天縁４２，５２に対応する外周糊代部７，７を、夫々鉛直折曲線部Ｂ上端が最高位置となる、水平投射の放物線形状のような二次曲線的下り勾配を有する円弧縁状に裁断し、当該商品確認用窓Ｗの対応箇所も、その円弧縁に沿って開口した形状とすることができ、同商品確認用窓Ｗには、表外装部４の内面壁がわから透明フィルムＦを貼着したものとし、図６ないし図９に示すように、外殻包装体３の鉛直折曲線部Ｂを折り、表・背外装部４，５の各外周糊代部７，７同士を重ね合わせ接着剤にて貼着し、表・背外装部４，５間に包装対象商品Ｃ用の収容部８を確保し、上端先鋭、下端開脚のタワー形状とした上、同外殻包装体３の表・背外装部４，５各水平接地辺４０，５０間に開いた開底部６を通じて、図２および図３に示すように、該収容部８内に包装対象商品Ｃ（透明軟質袋Ｐ）を収容した上、該開底部６に以下に示す厚紙製の底面台紙９を装着したものとする。
【００３３】
図３、図５、図６、図８および図９に示すように、底面台紙９は、当該開底部６の鉛直折曲線部Ｂ下端寄りと、外周糊代部７，７下端寄りとの双方に、包装対象商品Ｃ底面よりも充分に小さな間隙を確保するよう楕円形の長径両端がわを切除した形状・寸法とし、その鉛直折曲線部Ｂ下端と、外周糊代部７，７下端とを結ぶ直線に沿って、水平谷折線部９１を設けた底面部９０、および、各水平接地辺４０，５０に対峙する該底面部９０の表・背がわ両縁に沿って、表・背一対の糊代帯９２，９２を夫々水平山折線部９３，９３を介して一体化したものとし、該底面台紙９の、各糊代帯９２，９２を各水平接地辺４０，５０内周壁に沿って垂直姿勢に接着剤により貼着し、各糊代帯９２，９２の上端間に、水平谷折線部９１を境に中央谷折状とした底面部９０の表・背がわ両端を支持してなるものとし、以上のように包装し、パスタ商品Ｃを収容してなるこの発明の包装食品１を得る。
【００３４】
また、図１０ないし図１３に示すように、この発明の自立型包装袋２、およびそれを利用した包装食品１は、例えば、９０ｇに相当する乾燥パスタの麺線束を透明軟質袋Ｐに密閉状に封入した包装対象商品Ｃに応じた寸法形状のものとしてあり、縦長寸法状のものとし、各外周糊代部７，７と表・背外装部周縁４，５との境界線に沿って設ける脆弱線部７０，７０は、前述したミシン孔７１，７１としているが、厚紙の厚み寸法を小さくした薄肉線に置き換えることが可能である。
【００３５】
（実施例１の作用・効果）
以上のとおりの構成からなるこの考案の自立型包装袋２は、図１および図２中に示すように、商品確認用窓Ｗを上端寄りに配したから、商品名などを、商品確認用窓Ｗの下がわに表示することができ、従来型のように下がわに窓を配したものに比較して、一段と収容部８内の包装対象商品Ｃの視認性を高めたものとすることができ、図４に示すように、商品確認用窓Ｗ範囲のみに透明フィルムＦを貼着したものとしたから、透明フィルムＦを小型化してより経済的に製造することができる上、図５および図６に示すように、底面台紙９底面部９０が、鉛直折曲線部Ｂ下端寄りと、外周糊代部７，７下端寄りとの双方に、当該包装対象商品Ｃ底面よりも充分に小さな間隙を確保する形状・寸法としたから、各糊代帯９２，９２の両端がわを夫々柔軟に変形し易くし、各糊代帯９２，９２、を各水平接地辺４０，５０内周壁に沿って貼着する作業を容易にし、組立生産および包装の作業効率を格段に高めたものとすることができる上、開底部６の鉛直折曲線部Ｂ下端寄りと、外周糊代部７，７下端寄りとの小さな間隙から、包装対象商品Ｃが不用意に脱落するのを確実に阻止し、しかも各糊代帯９２，９２を、外殻包装体３開底部６内側壁面に重ね合わせるよう貼着したから、開底部６の肉厚を倍増して接地部分の強度を格段に高め、中央を谷折りとした底面部９０がクッション機能を発揮し、緩衝性能を大幅に高めたものとなるのに加え、水平谷折線部９１を有する底面部９０が、包装対象商品Ｃそれ自体に働く重力によって、同包装対象商品Ｃ下端を表・背間中央に自動的に誘導する一方、上端先鋭状に貼着してある表・背外装部４，５天縁４２，５２が、包装対象商品Ｃ上端を中央に保持するものとなるから、包装食品１に包装した包装対象商品Ｃの重心を、収容部８の表・背間中央に自動的に保持し、格段に安定的に自立可能とすることができるという秀れた包装を実現化することができる。
【００３６】
（結  び）
叙述の如く、この考案の自立型包装袋、およびそれを利用した包装食品は、その新規な構成によって所期の目的を遍く達成可能とするものであり、しかも製造も容易で、従前からの自立型の包装技術に比較して自立安定性を格段に高めると共に、軽量且つ低廉化して遥かに経済的なものとすることができる上、製造、組立および包装の各作業性を大幅に改善し、且つ、展示スペースを縮小して陳列および販売効率を一段と向上するものとなるから、従前までは、水平に棚積みして販売するのが主流となっていた乾燥麺類やパスタ類などの包装、輸送、販売、製造および流通過程における様々な作業効率を大幅に向上するものとなり、製麺業界、食品流通業界、および食品販売業界はもとより、食品包装業界や、より高品質の食品をより廉価にて供給して欲しいと願う一般家庭においても高く評価され、広範に渡って利用、普及していくものになると予想される。                                                          
【符号の説明】
【００３７】
１      包装食品
２      自立型包装袋
３      外殻包装体
４      表外装部
４０    同  水平接地辺
４１    同  側周縁
４２    同  天縁
５      背外装部
５０    同  水平接地辺
５１    同  側周縁
５２    同  天縁
Ｗ      商品確認用窓
Ｆ      透明フィルム
Ｂ      鉛直折曲線部
６      開底部
７      外周糊代部
７０    同  脆弱線部
７１    同  ミシン孔（薄肉線）
７２    同  破線表示部
８      収容部
９      底面台紙
９０    同  底面部
９１    同  水平谷折線部
９２    同  糊代帯
９３    同  水平山折線部
Ｃ      包装対象商品（パスタ商品：パスタ、麺線束）
Ｐ      透明軟質袋                                                                                              
【図１】
0003189306.tif 000003
【図２】
0003189306.tif 000004
【図３】
0003189306.tif 000005
【図４】
0003189306.tif 000006
【図５】
0003189306.tif 000007
【図６】
0003189306.tif 000008
【図７】
0003189306.tif 000009
【図８】
0003189306.tif 000010
【図９】
0003189306.tif 000011
【図１０】
0003189306.tif 000012
【図１１】
0003189306.tif 000013
【図１２】
0003189306.tif 000014
【図１３】
0003189306.tif 000015